(57)【要約】【課題】室内機と室外機を有する空気調和機の冷房運転時における室内機の結露水を、排水せず室外機の熱交換器の冷却用として利用することで効率を良好にすること。【解決手段】室内機３と室外機８を有する空気調和機において、室内機３は室内機側熱交換器１の下に結露水を受けるドレンパン４および排水口５を有し、結露水を室外機側へ流すため排出口５に結合されたドレンホース９を備えている。室外機は、室外機用熱交換機１０を有し、前記室外機用熱交換機１０の上に、ドレンホース９の他端部と接続した排出器１１を備え、排出器１１の底面に吹出し部１２を設けている。排出器１１底面からの吹出し部１２から流出した結露水を室外機側熱交換器１０に吹き付けることで室外機側熱交換器１０を冷却する。【選択図】図１
2009250519.tif 000002
【特許請求の範囲】
【請求項１】
室内機側熱交換器に付着する結露水をドレンホースにより室外機側と接続し、結露水を室外機側熱交換器に吹き付けることで前記室外機側熱交換器の温度を下げることを特徴とする空気調和機。
【請求項２】
室外機側熱交換器に付着する結露水をドレンホースにより室内機側と接続し、室外機側のドレンホース周囲にヒーター部を備え、前記ヒーター部により室外機側熱交換器に付着する結露水を気化させ、室内機側で室内に飛散させ室内を加湿することを特徴とする空気調和機。
【発明の詳細な説明】
【技術分野】
【０００１】
本発明は、室内機ないしは室外機の結露水により、熱交換器の冷却を行うことを可能とする空気調和機に関するものである。
【背景技術】
【０００２】
従来の空気調和機としては、例えば図３に示すように、室内機の熱交換器には冷房運転時に結露水が付着するため、結露水を流化させるようにしているが、その結露水は熱交換器の下に配置されたドレンパンに受けた後、排出口に結合されたドレンホースを通して室外に排水するようになっている（例えば特許文献１参照）。
【０００３】
図３は、前記公報に記載された従来の空気調和機の要部側断面を示すものである。図３に示すように、室内機１と、ドレンパン２と、排出口３と、ドレンホース４と、室外機５（本発明の特徴を表すのに適した範囲で示す）から構成されている。
【特許文献１】実開平０５−７３４１６号公報
【発明の開示】
【発明が解決しようとする課題】
【０００４】
しかしながら、前記従来の構成では、冷房運転時にドレンホースから結露水が室外に排水されたままとなっており、効率向上のために利用されることはなく、また、外観を損ねるという課題を有していた。
【０００５】
本発明はこのような従来の課題を解決するものであり、室内機からの結露水を室外機側熱交換器の冷却用として使用することで効率向上を図り、かつドレンホースの垂下をなくすことで外観を美化し、使用者の快適性を向上させた空気調和機を提供することを目的とする。
【課題を解決するための手段】
【０００６】
前記従来の課題を解決するために、本発明の空気調和機は、冷房運転時に室内機側熱交換器に付着する結露水を室外に排水するのではなく、ドレンホース他端部を室外機と接続したものである。
【０００７】
これによって、結露水はドレンホースから室外機の上部に設置された排出器内に導入され、前記排出器底面の吹出し部より室外側熱交換器に吹き付けることで蒸発し、蒸発熱を奪うことで熱交換器の温度を下げることを可能とする。
【発明の効果】
【０００８】
本発明の空気調和機は、冷房運転時に室内機側熱交換器に付着した結露水を室外機用熱交換器に吹き付けることで、前記室外機側熱交換器の温度を下げることができる。
【発明を実施するための最良の形態】
【０００９】
第１の発明は、冷房運転時に室内機側熱交換器に付着した結露水を室外に排水するのではなく、ドレンホース他端部を室外機と接続し、室外機の上部に設置された排出器内に導入され、前記排出器底面の吹出し部より室外側熱交換器に吹き付けることにより、結露水が蒸発し、蒸発熱により室外機側熱交換器の温度を下げることができる。
【００１０】
第２の発明は、暖房運転時に室外機側熱交換器付着した結露水を室外に排出するのではなく、室外機側排水口から接続されたドレンホース周囲に備えたヒーター器により、熱に
より結露水を気化させ、室内機側排水口より室内機側に気化状態の結露水を導入させ、吹出し口より空調を制御する風とともに気化状態の結露水を飛散させることにより、室内を加湿させることができる。
【００１１】
以下、本発明の実施の形態について、図面を参照しながら説明する。なお、本実施の形態によって本発明が限定されるものではない。
【００１２】
（実施の形態１）
図1は本発明の実施の形態１における空気調和機の要部側断面図である。図１において、空気調和機は吸込口と吹出口を有し、室内機側熱交換器１および、空調を行う内ファン部２を備えた室内機３と、圧縮機６および空調を行う外ファン部７を有する室外機８とからなり、両者は接続配管等で接続されている。
【００１３】
室内機３には冷房運転時に室内機側熱交換器１から発生する結露水を受けるドレンパン４と、前記ドレンパン４の底部に排水口５が設けられている。室外機８はドレンホース９の他端部が室外側熱交換器１０の上部に設けられた排出器１１と接続され、排出器１１の底部には結露水を吹出す吹出し部１２を有している。ドレンパン４の排出口５と室外機８の排出器１１との間をドレンホース９で連結している。
【００１４】
以上のように構成された空気調和機について、以下その動作、作用を説明する。本実施の形態においては冷房運転時に室内機側熱交換器に付着した結露水を室外機に移送可能とし、移送した結露水を室外機用熱交換器に吹き付けるとしたことにより、前記室外機側熱交換器の温度を下げることができる。
【００１５】
（実施の形態２）
図２は本発明の実施の形態２における空気調和機の要部側断面である。図２において、空気調和機は吸込口と吹出口１３を有し、室内機側熱交換器１および、空調を行う内ファン部２を備えた室内機３と、圧縮機６および空調を行う外ファン部７を有する室外機８とからなり、両者は接続配管等で接続されている。
【００１６】
室内機３には室内機側ドレンパン４と、前記室内機側ドレンパン４の底部に室内機側排水口５が設けられている。室外機には暖房運転時室外機熱交換器から発生する結露水を受ける室外機側ドレンパン１４と、前記室外機側ドレンパン１４の底部に室外機側排水口１５が設けられている。室外機側排水口１５からはドレンホース９が接続されており、前記ドレンホース９の周囲にはヒーター器１６が取り付けられ、前記ドレンホース９の他端部は室内機側ドレンパン４の排出口５と連結している。
【００１７】
以上のように構成された空気調和機について、以下その動作、作用を説明する。本実施の形態においては、暖房運転時に室外機側熱交換器に付着した結露水をドレンパン底部の排出口周囲のヒーター部により気化することで室内機に移送可能とし、移送した結露水を空調時の風とともに吹出口より飛散させることで、室内の加湿を行うことができる。
【産業上の利用可能性】
【００１８】
以上のように、本発明にかかる空気調和機は、室内機ないしは室外機の結露水により、熱交換器の冷却を行うことを可能とし、かつドレンホースの垂下を無くすことを可能とするので、室内機使用者の快適性を向上させることを目的とする分野でも適用できる。
【図面の簡単な説明】
【００１９】
【図１】本発明の実施の形態１における空気調和機の要部側断面図
【図２】本発明の実施の形態２における空気調和機の要部側断面図
【図３】従来の空気調和機の要部側断面図
【符号の説明】
【００２０】
１  室内機側熱交換器
２  内ファン部
３  室内機
４  ドレンパン
５  排出口
６  圧縮機
７  外ファン部
８  室外機
９  ドレンホース
１０  室外機側熱交換器
１１  排出器
１２  吹出し部
１３  吹出口
１４  室外機側ドレンパン
１５  室外機側排出口
１６  ヒーター部
【図１】
2009250519.tif 000003
【図２】
2009250519.tif 000004
【図３】
2009250519.tif 000005